(57)【特許請求の範囲】
【請求項１】
着用者の股間部に配される股下部を有すると共に、着用者の腹側から股間部を介して背側に延びる縦方向とこれに直交する横方向とを有し、着用者の肌と接触し得る肌接触面にスキンケア剤が所定のパターンで付着した吸収性物品であって、
前記スキンケア剤は、平面視において横方向に折り返しながら縦方向に延びる連続線をなし、該連続線の横方向一方側及び他方側にはそれぞれ複数の折り返し部が存し、該横方向一方側及び他方側それぞれにおいて、その複数の折り返し部の横方向位置が不揃いであり、
前記肌接触面は、平均横方向長さの異なる複数の前記連続線が横方向に並べて配置された、下記方法により決定される平面視四角形形状のスキンケア剤配置領域を有し、
前記スキンケア剤配置領域は、前記股下部に位置して前記肌接触面の横方向中央と重なり、且つ該スキンケア剤配置領域における任意の部分の横方向長さが、該肌接触面における該任意の部分と縦方向において同位置に存する部分の横方向長さの３０％以上である吸収性物品。
＜スキンケア剤配置領域の決定方法＞
縦方向に延びる複数の前記連続線が横方向に並列配置されている場合に、その複数の連続線の横方向の外方の任意の位置に、縦方向に延びる１本の仮想直線ＶＬを引く。
次に、仮想直線ＶＬから最も近い前記連続線における仮想直線ＶＬに存する複数の前記折り返し部と仮想直線ＶＬとの距離をそれぞれ測定し、その複数の距離の測定値の平均値を算出して平均距離ａとし、仮想直線ＶＬから平均距離ａだけ離間した位置に、縦方向に延びる仮想直線Ｖａを引く。また、仮想直線ＶＬから最も遠い前記連続線における仮想直線ＶＬ側とは反対側に存する複数の前記折り返し部と仮想直線ＶＬとの距離をそれぞれ測定し、その複数の距離の測定値の平均値を算出して平均距離ｄとし、仮想直線ＶＬから平均距離ｄだけ離間した位置に、縦方向に延びる仮想直線Ｖｄを引く。
次に、前記２本の仮想直線Ｖａ，Ｖｄに挟まれた領域に存する全ての前記連続線において、縦方向の最外方に位置する部分を選択し、その縦方向最外方部分を通って横方向に延びる２本の仮想直線Ｖｙ１，Ｖｙ２を引く。
こうして引かれた４本の仮想直線Ｖａ，Ｖｄ，Ｖｙ１，Ｖｙ２によって包囲された平面視四角形形状の領域が、スキンケア剤配置領域である。
【請求項２】
前記連続線は、該連続線自体の交点を含む閉じた環状部分を複数有し、その複数の環状部分の該交点の横方向位置が不揃いである請求項１に記載の吸収性物品。
【請求項３】
前記環状部分は、縦方向長さの方が横方向長さに比して長い請求項２に記載の吸収性物品。
【請求項４】
前記連続線は、該連続線自体の交点を有しておらず、且つ該連続線の延びる方向に並ぶ２つの前記折り返し部間の横方向長さが不揃いである請求項１に記載の吸収性物品。
【請求項５】
複数の前記連続線どうしが共有する複数の交点の横方向位置が不揃いである請求項１〜４の何れか一項に記載の吸収性物品。
【請求項６】
前記スキンケア剤配置領域に存する複数の前記連続線は、各連続線における平均横方向長さを有する部分が横方向に間欠配置されるように配置されている請求項１〜４の何れか一項に記載の吸収性物品。
【請求項７】
前記連続線は、前記吸収性物品の厚さ方向に延びる部分を有している請求項１〜６の何れか一項に記載の吸収性物品。
【発明の詳細な説明】
【技術分野】
【０００１】
本発明は、スキンケア剤を含有する吸収性物品に関する。
【背景技術】
【０００２】
使い捨ておむつ、生理用ナプキン、パンティライナー（おりものシート）、失禁パッド等の吸収性物品を着用すると、蒸れ等によって皮膚にかぶれが生じることがある。このような吸収性物品の着用に起因する肌トラブルを防止するために、吸収性物品にスキンケア効果を付与することが従来行われている。
【０００３】
例えば特許文献１〜３には、吸収性物品における着用者の肌と接触し得る肌接触面又は吸収体よりも着用者の肌に近い層にスキンケア剤を、平面視において一方向に折り返しながら該一方向と直交する方向に延びる連続線パターンで付着させることが記載されている。斯かるパターンの典型的な例として、図１１に示す如き、横方向Ｙに折り返しながら縦方向Ｘに延びる連続線９０を有するスパイラルパターンが挙げられる。図１１に示すスパイラルパターンにおいては、３本の連続線９０が横方向Ｙに間欠配置され、各連続線９０は、横方向Ｙの両側それぞれに複数の折り返し部９１（図１１中○を付した部分）を有している。各連続線９０においては、横方向Ｙの両側それぞれにおいて複数の折り返し部９１の横方向Ｙの位置が揃っており、従って、横方向Ｙの一方側の折り返し部９１と他方側の折り返し部９１との間の長さが均一である。尚、特許文献２には、連続線９０とは別のスパイラルパターンとして、横方向の両側それぞれにおいて複数の折り返し部の横方向位置が不揃い、即ち、幅方向一方側の折り返し部と他方側の折り返し部との間の長さが不均一のものが記載されている（特許文献２の図１ｃ参照）。
【先行技術文献】
【特許文献】
【０００４】
【特許文献１】特表２００６−５１９３２０号公報
【特許文献２】特表２００７−５２８７４２号公報
【特許文献３】特表２０１４−５０６１５３号公報
【発明の概要】
【発明が解決しようとする課題】
【０００５】
吸収性物品におけるスキンケア剤の付着パターンは、スキンケア剤によるスキンケア効果のみならず、吸収性物品自体の諸特性にも大きな影響を及ぼし得る。例えばスキンケア効果の向上を目的としてスキンケア剤を多量に付着させた場合、その多量のスキンケア剤の付着部は一般に剛性が高くなるため、柔軟性や伸縮性が低下するおそれがあり、また、その付着部が硬くなることで吸収性物品の着用者の皮膚への刺激が強くなり、スキンケア剤の使用が却って肌トラブルを引き起こすことになりかねない。
【０００６】
また、図１１に示す如き典型的なスパイラルパターンにおいては、横方向Ｙに隣り合う連続線９０，９０間にスキンケア剤の非付着部が連続線９０の全長に沿って連続的に存在するため、スキンケア剤の着用者の肌への接触に関してムラが生じ、スキンケア効果が十分に得られないおそれがある。またこの点を考慮して、連続線９０，９０の間隔を狭めたり無くしたりした場合、折り返し部９１とそれ以外の部分とでスキンケア剤の付着量に大差が生じる結果、吸収性物品の部位によってスキンケア効果に差が生じ、スキンケア効果の発現が不安定になるおそれがある。
【０００７】
本発明の課題は、スキンケア剤の付着によって損なわれるおそれのある柔軟性などの諸特性を良好に維持しつつ、そのスキンケア剤によるスキンケア効果を安定的に発現し得る吸収性物品を提供することに関する。
【課題を解決するための手段】
【０００８】
本発明は、着用者の股間部に配される股下部を有すると共に、着用者の腹側から股間部を介して背側に延びる縦方向とこれに直交する横方向とを有し、着用者の肌と接触し得る肌接触面にスキンケア剤が所定のパターンで付着した吸収性物品であって、前記スキンケア剤は、平面視において横方向に折り返しながら縦方向に延びる連続線をなし、該連続線の横方向一方側及び他方側にはそれぞれ複数の折り返し部が存し、該横方向一方側及び他方側それぞれにおいて、その複数の折り返し部の横方向位置が不揃いであり、前記肌接触面は、平均横方向長さの異なる複数の前記連続線が横方向に並べて配置された平面視四角形形状のスキンケア剤配置領域を有し、前記スキンケア剤配置領域は、前記股下部に位置して前記肌接触面の横方向中央と重なり、且つ該スキンケア剤配置領域における任意の部分の横方向長さが、該肌接触面における該任意の部分と縦方向において同位置に存する部分の横方向長さの３０％以上である吸収性物品を提供するものである。
【発明の効果】
【０００９】
本発明によれば、スキンケア剤の付着によって損なわれるおそれのある柔軟性などの諸特性を良好に維持しつつ、そのスキンケア剤によるスキンケア効果を安定的に発現し得る吸収性物品が提供される。
【図面の簡単な説明】
【００１０】
【図１】図１は、本発明の吸収性物品の一実施形態としての生理用ナプキンの一例の肌接触面を模式的に示す平面図である。
【図２】図２は、図１のＩ−Ｉ線断面を模式的に示す横断面図である。
【図３】図３は、本発明に係るスキンケア剤配置領域の決定方法の説明図である。
【図４】図４は、本発明に係るスキンケア剤の付着パターンの一例の平面図である。
【図５】図５は、本発明に係るスキンケア剤の付着パターンの他の一例の平面図である。
【図６】図６（ａ）及び図６（ｂ）は、それぞれ、本発明に係るスキンケア剤の付着パターンのさらに他の一例の平面図である。
【図７】図７（ａ）及び図７（ｂ）は、それぞれ、本発明に係るスキンケア剤の付着パターンのさらに他の一例の平面図である。
【図８】図８は、本発明に係るスキンケア剤の付着パターンのさらに他の一例の平面図である。
【図９】図９は、図８に示す連続線の一部を拡大して示す平面図である。
【図１０】図１０（ａ）〜図１０（ｄ）は、それぞれ、本発明に係るスキンケア剤の付着パターンのさらに他の一例の平面図である。
【図１１】図１１は、従来のスキンケア剤の付着パターンの一例の平面図である。
【図１２】図１２は、従来のスキンケア剤の付着パターンの他の一例の平面図である。
【発明を実施するための形態】
【００１１】
以下本発明を、その好ましい実施形態に基づき図面を参照しながら説明する。図１及び図２には、本発明の吸収性物品の一実施形態である生理用ナプキン１が示されている。ナプキン１は、着用者の股間部に配される股下部１Ｍを有すると共に、着用者の腹側から股間部を介して背側に延びる縦方向Ｘとこれに直交する横方向Ｙとを有する。
【００１２】
ナプキン１は、図１に示す如き平面視において縦方向Ｘに長い形状を有し、その長手方向が縦方向Ｘに一致し、該長手方向に直交する幅方向が横方向Ｙに一致している。ナプキン１は、着用時に股下部１Ｍよりも着用者の腹側に配される前方部１Ｆと、着用時に股下部１Ｍよりも着用者の背側に配される後方部１Ｒとを縦方向Ｘに有し、縦方向Ｘの中央部即ち股下部１Ｍにおいて横方向Ｙの内方に括れた形状をなしている。前方部１Ｆ、股下部１Ｍ及び後方部１Ｒは、ナプキン１を縦方向Ｘに３等分した場合の各部に相当する。股下部１Ｍは、ナプキン１の着用時に着用者の膣口等の排泄部に対向配置される図示しない排泄ポイントを含む。排泄ポイントは、通常、ナプキン１の縦方向Ｘの中央部又はその近傍に位置している。
【００１３】
ナプキン１は、着用時に着用者の肌と接触し得る肌接触面を形成する液透過性の表面シート２と、着用時に着用者の肌と接触しない非肌接触面を形成する液不透過性若しくは液難透過性又は撥水性の裏面シート３と、両シート２，３間に介在された吸収体４とを具備し、これらが接着剤等の公知の接合手段により一体化されて構成されている。表面シート２及び裏面シート３は、それぞれ、吸収体４の周縁から延出し、それらの延出部の端部において、接着剤、ヒートシール等の公知の接合手段により互いに接合されてエンドシール部５を形成している。ナプキン１の非肌接触面、即ち、裏面シート３の非肌対向面には、ナプキン１をショーツ等の着衣に固定する図示しない粘着部が配されていても良い。この粘着部は例えば、裏面シート３の外面の所定箇所に粘着剤を塗布して設けることができ、その使用前においてはフィルム、不織布、紙等からなる図示しない剥離シートによって被覆することができる。
【００１４】
表面シート２の肌対向面は、着用時に着用者の肌と接触し得る肌接触面でもあり、スキンケア剤の付着面でもある。表面シート２としては、この種の吸収性物品に従来用いられている液透過性のシート材料を特に制限なく用いることができ、例えば、カード法により製造された不織布、エアスルー不織布、スパンボンド不織布、メルトブローン不織布、スパンレース不織布及びニードルパンチ不織布等の種々の不織布；開口手段によって液透過可能とされた樹脂フィルム等が挙げられる。表面シート２は、図２に示す如き単層構造のシートに制限されず、多層構造のシートでも良い。
【００１５】
図１及び図２に示すナプキン１においては、着用時に着用者の肌と接触し得る肌接触面を形成し得るのは表面シート２のみであるが、例えば、表面シート２における平面視において吸収体４と重なる部分の縦方向Ｘに沿う両側部に、サイドシートなどとも呼ばれる防漏性部材（図示せず）が配されている場合、その防漏性部材は表面シート２と共に肌接触面を形成し得る。本発明にはこのような防漏性部材を具備する形態も含まれ、該防漏性部材にスキンケア剤を付着させる場合があり得る。
【００１６】
裏面シート３及び吸収体４としては、それぞれ、この種の吸収性物品に従来用いられている各種のものを特に制限なく用いることができる。裏面シート３としては樹脂フィルムや、樹脂フィルムと不織布等とのラミネート等を用いることができ、また、前記防漏性部材（サイドシート）としては裏面シート３と同様のものを用いることができる。尚、裏面シート３には、例えば、液不透過性のフィルムシート単独の形態と、該フィルムシートの非肌対向面、即ち外表面側に外装シートを積層配置した形態とがあり、該外装シートは例えば不織布である。吸収体４としては吸収性材料の集合体を用いることができ、この集合体は、紙、不織布等の液透過性のシートで被覆されていても良い。吸収性材料としては、木材パルプ、親水化剤により処理された合繊繊維等の親水性繊維、吸水性ポリマー粒子等を用いることができる。
【００１７】
本明細書において「肌対向面」は、吸収性物品の構成部材（例えば表面シート）における、吸収性物品の着用時に着用者の肌側に向けられる面、即ち相対的に着用者の肌に近い側であり、「非肌対向面」は、吸収性物品の構成部材における、吸収性物品の着用時に着用者の肌側とは反対側に向けられる面、即ち相対的に着用者の肌から遠い側である。また、本明細書において「着用時」は、特に説明しない限り、通常の適正な着用位置、即ち当該吸収性物品の正しい着用位置が維持された状態を意味し、吸収性物品が該着用位置からずれた状態にある場合は含まない。
【００１８】
図１に示すように、ナプキン１の肌接触面即ち表面シート２の肌対向面には、スキンケア剤が付着している。スキンケア剤は、図１に示す如き平面視において、横方向Ｙに折り返しながら縦方向Ｘに延びる連続線６０Ａ，６０Ｂをなしている。ナプキン１においては肌接触面に、複数具体的には２本の連続線６０Ａ，６０Ｂが横方向Ｙに並べて配置されている。連続線６０Ａ，６０Ｂそれぞれの横方向Ｙの一方側及び他方側にはそれぞれ複数の折り返し部６１が存している。折り返し部６１は、図１中の連続線６０Ａ，６０Ｂにおける○を付した部分であり、連続線６０Ａ，６０Ｂの延びる方向の横方向成分の変化点、即ち、図１において連続線６０Ａ，６０Ｂの延びる方向が右方向から左方向又は左方向から右方向に変化した部分である。
【００１９】
ナプキン１の肌接触面は、図１に示すように、複数（２本）の連続線６０Ａ，６０Ｂが横方向Ｙに並べて配置された平面視四角形形状のスキンケア剤配置領域７（図１中点線で囲まれた領域）を有している。本明細書において「スキンケア剤配置領域」は、吸収性物品の肌接触面に配されたスキンケア剤の複数の連続線を含む１つの閉じた領域であり、具体的には下記方法により決定される。
【００２０】
＜スキンケア剤配置領域の決定方法＞
図３を参照して説明する。縦方向Ｘに延びる複数（２本）の連続線６０Ｃ，６０Ｄが横方向Ｙに並列配置されている場合に、その複数の連続線６０Ｃ，６０Ｄの横方向Ｙの外方の任意の位置に縦方向Ｘに延びる１本の仮想直線ＶＬを引き、その仮想直線ＶＬから最も近い連続線６０Ｃにおける仮想直線ＶＬ側（図３では連続線６０Ｃの左側）に存する複数の折り返し部６１と仮想直線ＶＬとの距離をそれぞれ測定し、その複数の距離の測定値の平均値を算出して平均距離ａとし、仮想直線ＶＬから平均距離ａだけ離間した位置に、縦方向Ｘに延びる仮想直線Ｖａを引く。また、仮想直線ＶＬから最も遠い連続線６０Ｄにおける仮想直線ＶＬ側とは反対側（図３では連続線６０Ｄの右側）に存する複数の折り返し部６１と仮想直線ＶＬとの距離をそれぞれ測定し、その複数の距離の測定値の平均値を算出して平均距離ｄとし、仮想直線ＶＬから平均距離ｄだけ離間した位置に、縦方向Ｘに延びる仮想直線Ｖｄを引く。また、これら２本の仮想直線Ｖａ，Ｖｄに挟まれた領域に存する全ての連続線６０Ｃ，６０Ｄにおいて、縦方向Ｘの最外方に位置する部分６５を選択し、その縦方向最外方部分６５を通って横方向Ｙに延びる２本の仮想直線Ｖｙ１，Ｖｙ２を引く。こうして引かれた４本の仮想直線Ｖａ，Ｖｄ，Ｖｙ１，Ｖｙ２によって包囲された平面視四角形形状（長方形形状）の領域が、スキンケア剤配置領域７である。
【００２１】
また、連続線６０Ａないし６０Ｄはそれぞれ固有の「平均横方向長さ」を有している。図１及び図３に示す通り、連続線６０Ａないし６０Ｄは、それぞれ、複数の折り返し部６１の横方向位置が不揃いであり（後述する第１の特徴を有しており）、各折り返し部６１における横方向Ｙの長さが均一ではない。前記「平均横方向長さ」は、１本の連続線が有する複数の折り返し部における横方向長さの平均値であり、下記方法により算出される。
【００２２】
＜連続線の平均横方向長さの算出方法＞
図３を参照して説明する。図３の２本の連続線６０Ｃ，６０Ｄそれぞれの平均横方向長さを算出するためには、各連続線６０Ｃ，６０Ｄそれぞれの横方向Ｙの両側に存する複数の折り返し部６１と仮想直線ＶＬとの平均距離をそれぞれ算出する必要がある。図３には、前述したスキンケア剤配置領域の決定方法において算出された平均距離ａ，ｄに加えてさらに、同様の方法により算出された平均距離ｂ，ｃが記載されており、また、仮想直線ＶＬから平均距離ｂだけ離間した位置には縦方向Ｘに延びる仮想直線Ｖｂが引かれ、仮想直線ＶＬから平均距離ｃだけ離間した位置には縦方向Ｘに延びる仮想直線Ｖｃが引かれている。ここで、連続線６０Ｃの「平均横方向長さ」は（ｂ−ａ）によって算出され、連続線６０Ｄの「平均横方向長さ」は（ｄ−ｃ）によって算出される。
【００２３】
連続線における「平均横方向長さを有する部分」は、該連続線の主体をなす部分であり、該連続線をなすスキンケア剤によるスキンケア効果は該部分によって実質的に発現され、また、該連続線が付着された吸収性物品の構成部材（ナプキン１においては表面シート２）の柔軟性、通液性等の諸特性は該部分によって少なからず影響を受ける。図３の形態において、連続線６０Ｃにおける「平均横方向長さを有する部分」は、縦方向に延びる２本の仮想直線Ｖａ，Ｖｂに挟まれた部分であり、連続線６０Ｄにおける「平均横方向長さを有する部分」は、縦方向に延びる２本の仮想直線Ｖｃ，Ｖｄに挟まれた部分である。また、図３の形態においては、連続線６０Ｃは連続線６０Ｄに比して平均横方向長さが短く、スキンケア剤配置領域７には、平均横方向長さの異なる複数の連続線６０Ｃ，６０Ｄが横方向Ｙに並べて配置されている。
【００２４】
本実施形態のナプキン１は、第１の特徴として、「連続線６０Ａ，６０Ｂそれぞれの横方向Ｙの一方側及び他方側それぞれにおいて、複数の折り返し部６１の横方向Ｙの位置が不揃いである」を有する。このナプキン１の第１の特徴は、図１１に示す従来のスキンケア剤の付着パターンの連続線９０では横方向Ｙの一方側及び他方側それぞれにおいて、複数の折り返し部９１の横方向Ｙの位置が揃っているのとは対照的である。図１１に示す連続線９０からなる規則的なスパイラルパターンにおいては、スキンケア剤の単位面積当たりの付着量が相対的に高い部分（折り返し部９１及びその近傍）と相対的に低い部分（１本の連続線９０における横方向Ｙの一方側の折り返し部９１と他方側の折り返し部９１との中央部）とが存在するために、複数（３本）の連続線９０が横方向Ｙに並列配置されたスキンケア剤配置領域にスキンケア剤の濃淡差が生じ、そのためスキンケア効果にムラが生じ、スキンケア効果の発現が不安定になるおそれがある。これに対し、前記第１の特徴を有するナプキン１においては、スキンケア剤６の連続線６０Ａ，６０Ｂの横方向Ｙの一方側及び他方側それぞれにおいて、複数の折り返し部６１の横方向Ｙの位置が不揃いであるため、スキンケア剤配置領域７にスキンケア剤の濃淡差が生じにくく、着用者の肌がスキンケア剤配置領域７のどこに接触しても同じスキンケア効果が得られ、スキンケア効果が安定的に発現し得る。また、スキンケア剤の付着によってナプキン１が本来有する柔軟性、伸縮性、身体追従性などの諸特性が損なわれることが懸念されるが、前記第１の特徴を有することで斯かる懸念は払拭される。
【００２５】
ナプキン１が有する前記第１の特徴に関し、連続線６０Ａ，６０Ｂの横方向Ｙの両側それぞれにおいて、「複数の折り返し部６１の横方向位置が不揃い」とは、下記（Ａ）を満たす場合を意味する。
【００２６】
（Ａ）連続線６０Ａ，６０Ｂの横方向Ｙの両側それぞれにおいて、「任意の１個の折り返し部６１」と、「該任意の１個の折り返し部６１に対して縦方向Ｘの一方側に位置する他の折り返し部６１のうちで該任意の１個の折り返し部６１に最も近いもの、及び、該任意の１個の折り返し部６１に対して縦方向Ｘの他方側に位置する他の折り返し部６１のうちで該任意の１個の折り返し部６１に最も近いもの」（即ち、任意の１個の折り返し部６１に対して縦方向Ｘの前後に位置する２個の他の折り返し部６１，６１）とで、横方向位置が互いに異なる状態にある。
【００２７】
前記（Ａ）において、「横方向位置が互いに異なる状態」とは、横方向位置を比較する２個の折り返し部６１，６１のうちの１個の折り返し部６１から横方向Ｙの両側それぞれに１ｍｍ離間した位置を通って縦方向Ｘに延びる２本の仮想直線に挟まれた帯状領域６１Ｂ（図３参照）に、他の１個の折り返し部６１が存していない状態を意味する。２個の折り返し部６１，６１の横方向位置が互いに異なる状態にない場合、その２個の折り返し部６１，６１の横方向位置は一致するとみなされる。
【００２８】
また、本実施形態のナプキン１は、第２の特徴として、「スキンケア剤配置領域７において、平均横方向長さの異なる複数の連続線６０Ａ，６０Ｂが横方向Ｙに並べて配置されている」を有する。ここでいう「平均横方向長さ」については前述した通りである。このナプキン１の第２の特徴は、図１１に示す従来のスキンケア剤の付着パターンを構成する複数（３本）の連続線９０は互いに平均横方向長さが同じであるのとは対照的である。前記第２の特徴は、前記第１の特徴と同様の効果を奏し得るものであり、ナプキン１は両特徴を有することで、柔軟性、伸縮性、身体追従性などの諸特性に優れ、且つスキンケア剤によるスキンケア効果を安定的に発現し得るものとなり得る。
【００２９】
尚、前記第２の特徴に関し、本発明には、スキンケア剤配置領域に３本以上の連続線が横方向に並べて配置されている形態も含まれるところ、斯かる形態においては、少なくとも１本の連続線と他の１本の連続線とで平均横方向長さが異なっていれば良く、あるいは全部の連続線で互いに平均横方向長さが異なっていても良い。
【００３０】
また、本実施形態のナプキン１は、第３の特徴として、「スキンケア剤配置領域７は、股下部１Ｍに位置して肌接触面（表面シート２の肌対向面）の横方向Ｙの中央と重なり、且つスキンケア剤配置領域７における任意の部分の横方向Ｙの長さが、該肌接触面における該任意の部分と縦方向において同位置に存する部分の横方向Ｙの長さの３０％以上である」を有する。前記第１及び第２の特徴を有する特徴的なスキンケア剤の連続線６０Ａ，６０Ｂによる付着パターンを採用しても、その連続線６０Ａ，６０Ｂが複数配置されたスキンケア剤配置領域７の位置及び大きさが不適切では、所望の効果は奏され難い。前記第３の特徴は、斯かる点を考慮して採用されたものであり、スキンケア剤配置領域７が前記排泄ポイントを含む股下部１Ｍを中心として一定の大きさを持って存在し得るようにしたものである。
【００３１】
図１に示すように、スキンケア剤配置領域７は、股下部１Ｍの縦方向Ｘの全長にわたって位置し、さらに腹側部１Ｆ及び背側部１Ｒそれぞれの一部にも位置し、且つナプキン１の肌接触面を横方向Ｙに二分する横中心線ＣＬｙと重なっており、前記第３の特徴の前半部分の通りに構成されている。
【００３２】
前記第３の特徴の後半部分に関し、図１を参照して、例えばＩ−Ｉ線と重なる部分に着目した場合、スキンケア剤配置領域７におけるそのＩ−Ｉ線重複部分の横方向Ｙの長さＷ２が、ナプキン１の肌接触面における該Ｉ−Ｉ線重複部分と重なる部分の横方向Ｙの長さＷ１の３０％以上を占めるということであり、Ｉ−Ｉ線重複部分以外の他の部分についても、斯かる割合が満たされている必要がある。斯かる割合は、好ましくは５０％以上、さらに好ましくは７０％以上である。
【００３３】
前記第１ないし第３の特徴による作用効果をより確実に奏させるようにする観点から、スキンケア剤配置領域７に存する複数の連続線６０Ａ，６０Ｂは、各連続線６０Ａ，６０Ｂにおける平均横方向長さを有する部分が横方向Ｙに間欠配置されるように配置されていることが好ましい。斯かる配置について図３を参照して説明すると、連続線６０Ｃにおける平均横方向長さを有する部分は、２本の仮想直線Ｖａ，Ｖｂに挟まれた部分であり、連続線６０Ｄにおける平均横方向長さを有する部分は、２本の仮想直線Ｖｃ，Ｖｄに挟まれた部分であるところ、これら両部分の間には、２本の仮想直線Ｖｂ，Ｖｃに挟まれた部分が介在しており、従って、連続線６０Ｃにおける平均横方向長さを有する部分と連続線６０Ｄにおける平均横方向長さを有する部分とは横方向Ｙに間欠配置されている。
【００３４】
また同様の観点から、仮想直線Ｖｂ，Ｖｃに挟まれた部分、即ち、横方向Ｙに隣り合う２本の連続線６０Ｃ，６０Ｄそれぞれの平均横方向長さを有する部分どうしの間隔（ｃ−ｂ）は、２本の連続線６０Ｃ，６０Ｄのうちの平均横方向長さが短い方の平均横方向長さに比して短いことが好ましい。図３の形態においては、連続線６０Ｃの方が連続線６０Ｄに比して平均横方向長さが短いので、「間隔（ｃ−ｂ）＜連続線６０Ｃの平均横方向長さ（ｂ−ａ）」なる大小関係が成立することが好ましい。また、スキンケア剤配置領域７に間隔（ｃ−ｂ）に相当する部分が複数存在する場合、その複数の間隔のうちの好ましくは５割以上、さらに好ましくは８割以上について、斯かる大小関係が成立することが好ましい。
【００３５】
図１の形態においては複数の連続線６０Ａ，６０Ｂは重なっていないが、前記第１ないし第３の特徴による作用効果をより確実に奏させるようにする観点からは、図３の形態のように、複数の連続線６０Ｃ，６０Ｄどうしが重なって複数の交点を共有していることが好ましい。図３の形態では、連続線６０Ｃ，６０Ｄどうしは２点の交点を共有し、その２点で重なっている。
【００３６】
この複数の連続線の重なりに関して特に好ましい形態は、図４に示すように、複数（２本）の連続線６０Ｅ，６０Ｆどうしが共有する複数の交点６２（図４中●を付した部分）の横方向Ｙの位置が不揃いの形態である。図４中、点線が連続線６０Ｅ、実線が連続線６０Ｆである。この「複数の交点６２の横方向位置が不揃い」とは、下記（Ｂ）を満たす場合を意味する。尚、交点６２の横方向位置を規定する下記（Ｂ）は、折り返し部６１の横方向位置を規定する前記（Ａ）と、基本的な考え方は同じである。
【００３７】
（Ｂ）「任意の１個の交点６２」と、「該任意の１個の交点６２に対して縦方向Ｘの一方側に位置する他の交点６２のうちで該任意の１個の交点６２に最も近いもの、及び、該任意の１個の交点６２に対して縦方向Ｘの他方側に位置する他の交点６２のうちで該任意の１個の交点６２に最も近いもの」（即ち、任意の１個の交点６２に対して縦方向Ｘの前後に位置する２個の他の交点６２，６２）とで、横方向位置が互いに異なる状態にある。
【００３８】
前記（Ｂ）において、「横方向位置が互いに異なる状態」とは、横方向位置を比較する２個の交点６２，６２のうちの１個の交点６２から横方向Ｙの両側それぞれに１ｍｍ離間した位置を通って縦方向Ｘに延びる２本の仮想直線に挟まれた帯状領域６２Ｂ（図４参照）に、他の１個の交点６２が存していない状態を意味する。２個の交点６２，６２の横方向位置が互いに異なる状態にない場合、その２個の交点６２，６２の横方向位置は一致するとみなされる。
【００３９】
これに対し、例えば図１２の形態は、複数（２本）の連続線９０，９０どうしが共有する複数の交点９２は、３箇所の横方向位置Ｙ１，Ｙ２，Ｙ３の何れかに存し、前記（Ｂ）を満たさないから、それらの横方向位置は不揃いではなく、むしろ複数の交点９２の横方向位置が揃っていると言える。図１２に示すような、複数の連続線どうしが共有する複数の交点の横方向位置が揃っている形態は、スキンケア剤の濃淡差が生じやすいため、好ましいものとは言えない。尚、図１２の形態は、図１１に示す従来のスキンケア剤の付着パターンにおいて連続線９０，９０どうしを一部重ねたものであり、前記第１及び第２の特徴を具備しておらず本発明の範囲外のものである。
【００４０】
前述したスキンケア剤の連続線６０Ａないし６０Ｆは、何れも連続線自体の交点を含む閉じた環状部分を複数有するものであるところ、このような環状タイプの連続線の場合、図５に示す環状タイプの連続線６０Ｇのように、複数の環状部分６３それぞれにおける連続線６０Ｇ自体の交点６４の横方向Ｙの位置が不揃いであることが好ましい。この「複数の交点６４の横方向位置が不揃い」とは、前記（Ｂ）を満たす場合を意味する。即ち、前記（Ｂ）の「交点６２」を「交点６４」に置き換えた場合に、前記（Ｂ）を満たせば、複数の交点６４の横方向位置は不揃いである。斯かる連続線６０Ｇの環状部分６３における交点６４の不揃いに関する特徴は、図１１に示す従来の環状タイプの連続線９０では複数の環状部分における連続線９０自体の交点の横方向Ｙの位置が揃っているのとは対照的である。環状タイプの連続線を採用する場合に、連続線６０Ｇの如き交点６４の不揃いの形態を採用することにより、スキンケア剤配置領域におけるスキンケア剤の偏在がより一層緩和され、吸収性物品の部位によってスキンケア効果に差が生じるという不都合がより一層生じにくくなる。
【００４１】
また、前述した環状タイプの連続線における環状部分には、図６（ａ）に示す環状部分６３Ａのように、縦方向長さＬＸの方が横方向長さＬＹに比して長い縦長タイプと、図６（ｂ）に示す環状部分６３Ｂのように、横方向長さＬＹの方が縦方向長さＬＸに比して長い横長タイプとがあり、本発明には両タイプが含まれるが、環状部分６３Ａの如き縦長タイプがより好ましい。その理由は、スキンケア剤が付着される吸収性物品の肌接触面を形成する部材（ナプキン１においては表面シート２）の繊維配向と関係がある。即ち、ナプキン１の身体追従性の向上等の観点からは、表面シート２は縦方向Ｘに延びる屈曲線で横方向Ｙに折れ曲がりやすいことが好ましく、また表面シート２の如き、吸収性物品におけるシート状部材は通常、その構成繊維（図示せず）が概ね縦方向Ｘに沿って延びており、縦方向Ｘに沿った繊維配向性を有しているところ、図６（ａ）に示す縦長タイプの環状部分６３Ａは、図６（ｂ）に示す横長タイプの環状部分６３Ｂに比して、その縦配向の構成繊維との重複部分が多いため、当該環状部分で横方向Ｙに折り曲げやすい。従って、環状タイプの連続線における環状部分としては、縦長タイプの環状部分６３Ａのように、「連続線（スキンケア剤）が付される部材（表面シート２）が有する繊維配向と同方向（縦方向Ｘ）の方が、該繊維配向と直交する方向（横方向Ｙ）に比して長いもの」が好ましい。
【００４２】
斯かる作用効果をより確実に奏させるようにする観点から、前記縦長タイプの連続線における環状部分の縦方向長さＬＸと横方向長さＬＹとの比は、ＬＸ／ＬＹとして、好ましくは１．１以上、さらに好ましくは１．４以上、そして、好ましくは４以下、さらに好ましくは３以下である。
同様の観点から、１本の環状タイプの連続線が有する全ての環状部分のうち、好ましくは５割以上、さらに好ましくは８割以上が、前記縦長タイプの環状部分であることが好ましい。
【００４３】
以上、スキンケア剤の連続線について、主に吸収性物品の肌接触面の面方向における形態（平面視における連続線の形態）について説明したが、面方向のみならず、吸収性物品の厚さ方向においても工夫をすることによっても、スキンケア効果等の改善を図ることが可能である。即ち図７を参照して、スキンケア剤の連続線６０が付着される肌接触面が、図７（ａ）に示す如き凹凸面２ａである場合と、図７（ｂ）に示す如き平坦面２ｂである場合とでは、凹凸面２ａの方が、肌接触面を形成する部材（ナプキン１では表面シート２）の柔軟性や通液性等の諸特性の低下を抑制しつつ、スキンケア剤の単位面積（図７中点線で囲んだ領域）当たりの付着量を多くすることが可能であるため好ましい。図７（ｂ）に示す如き平坦面２ｂに対して、例えば、連続線６０の数を増やしたり線幅を太くしたりするなどして、スキンケア剤の単位面積当たりの付着量を多くすると、その多量に付着したスキンケア剤によって、これが付着した表面シートなどの肌接触面の形成部材の柔軟性や通液性等が低下するおそれがある。図７（ａ）に示す如き凹凸面２ａであれば、このような多量のスキンケア剤の付着に起因する不都合が生じ難い。
【００４４】
斯かる観点から、スキンケア剤の連続線６０は、図７（ａ）に示すように、ナプキン１の如き吸収性物品の厚さ方向Ｚに延びる部分を有していることが好ましく、より具体的には、凹凸面に形成されていることが好ましい。つまり、吸収性物品の肌接触面、図１に示すナプキン１であれば表面シート２の肌対向面は、少なくともスキンケア剤配置領域７に凹凸を有していることが好ましい。尚、この肌接触面の凹凸のパターンは、図７（ａ）に示す如き、縦方向Ｘに延びる畝部と溝部とが横方向Ｙに交互に配置されたパターンに制限されず、この種の吸収性物品の表面シートなどに採用されている公知の凹凸のパターンを適宜採用することができる。
【００４５】
スキンケア剤の付着量は特に制限されないが、前述した本発明に係る付着パターンによれば、スキンケア効果の向上等の観点からスキンケア剤の付着量を比較的多量としても、吸収性物品の肌接触面（表面シート等）の柔軟性、通液性、身体追従性などの諸特性の低下を生じ難いため、スキンケア剤の付着量の自由度が高い。好ましいスキンケア剤の付着量（坪量）は例えば、固形分換算で、好ましくは１ｇ／ｍ2以上、さらに好ましくは５ｇ／ｍ2以上、そして、好ましくは２０ｇ／ｍ2以下、さらに好ましくは１５ｇ／ｍ2以下である。スキンケア剤の吸収性物品の肌接触面への付着は、公知の塗工装置を用いて常法に従って行うことができる。
【００４６】
また、スキンケア剤の連続線の幅（連続線の延びる方向と直交する方向の長さ）は、好ましくは１０ｍｍ以上、さらに好ましくは１５ｍｍ以上、そして、好ましくは５０ｍｍ以下、さらに好ましくは３０ｍｍ以下である。
【００４７】
本発明で用いるスキンケア剤としては、着用者の肌に対して保護、治癒等の効能を有するものを特に制限なく用いることができ、例えば、化粧品の分野においてエモリエント剤として用いられている油性スキンケア剤等を用いることができる。エモリエント剤としては、例えば、ジアミド誘導体（ＢＲＳ）、流動パラフィン、シリコーンオイル、動植物油（オリーブ油、ホオバ油、べニバナ油、スクワラン及びスクワレン等）、モノグリセライド、ジグリセライド、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル、ステアリル−１，３−メチルプロピルエーテル等）、イソステアリル−コレステロールエステル等が挙げられ、これらの１種を単独で又は２種以上を適宜組み合わせて用いることができる。
【００４８】
スキンケア剤（エモリエント剤）には、必要に応じ、保湿成分及び固化剤からなる群から選択される１種以上を混合しても良い。即ち、本発明で用いるスキンケア剤には、エモリエント剤に加えてさらに、保湿成分及び固化剤の１種以上を含むものが含まれる。
【００４９】
前記保湿成分としては、例えば、アミノ酸、ピロリドンカルボン酸、乳酸、ヒアルロン酸、コンドロイチン硫酸等のムコ多糖葵質；グリセリン、プロピレングリコール、ブチレングリコール、ソルビット等の多価アルコール類；可溶性コラーゲン、ユラスチン、ケラチン等のたんぱく質加水分解物；牛胎盤エキスより抽出するプラセンターエキス、哺乳動物の胃粘膜、唾液腺で生産・分泌される糖たんぱく質のムチン、カニやエビの殻を主原科とするキチン・キトサン、ビフィズス菌代謝物、酵母発酵代謝産物、酵母抽出物等が挙げられ、これらの１種を単独で又は２種以上を適宜組み合わせて用いることができる。
【００５０】
前記固化剤としては、例えば、炭素数１４〜２２の脂肪アルコール、炭素数１２〜２２の脂肪酸、平均のエトキシル化度が２〜３０程度で且つ炭素数１２〜２２の脂肪アルコールエトキシレート等が挙げられ、これらの１種を単独で又は２種以上を適宜組み合わせて用いることができる。
【００５１】
また、スキンケア剤（エモリエント剤）には、塗工適性の向上等の観点から必要に応じ、熱可塑性樹脂を混合しても良い。熱可塑性樹脂としては、例えば、ポリオレフィン、ポリオレフィンコポリマー、ポリビニルアルコール、ポリビニルエステル、ポリビニルアルカナール、ポリビニルケタール、ポリアミド、ポリイミド、ポリカーボネート、ポリカーボネートブレンド、ポリエステル、ポリエステルブレンド、ポリ（メタ）アクリレート、ポリ（メタ）アクリレート−スチレンコポリマーブレンド、ポリ（メタ）アクリレート−ポリビニリデンフルオリドブレンド、ポリウレタン、ポリスチレン、スチレンコポリマー、ポリエーテル、ポリエーテルケトン、ポリスルホン、ポリビニルクロリド等が挙げられ、これらの１種を単独で又は２種以上を適宜組み合わせて用いることができる。
【００５２】
また、スキンケア剤（エモリエント剤）には、熱可塑性樹脂に加えてさらに、可塑剤を混合しても良い。可塑剤としては、例えば、植物油、グリセリン、ジグリセリン、ポリグリセリン、エチレングリコール、ジエチレングリコール、プロピレングリコール、１，３−ブタンジオール、１，４−ブタンジオール等が挙げられ、これらの１種を単独で又は２種以上を適宜組み合わせて用いることができる。
【００５３】
図８〜図１０には、本発明の吸収性物品の他の実施形態の要部が示されている。後述する他の実施形態については、前記実施形態と異なる構成部分を主として説明し、同様の構成部分は同一の符号を付して説明を省略する。特に説明しない構成部分には、前記実施形態についての説明が適宜適用される。
【００５４】
図８に示す複数（２本）の連続線６０Ｈ，６０Ｉは、それぞれ、連続線６０Ｈ，６０Ｉ自体の交点を有していない。そして図９に示すように、連続線６０Ｈの延びる方向に並ぶ２個の折り返し部６１，６１（図８中の連続線６０Ｈにおける○を付した部分）間の横方向長さＬＹ１ないしＬＹ５が不揃いである。図９には連続線６０Ｈのみを代表的に載せたが、連続線６０Ｉも連続線６０Ｈと同様に構成されている。この「連続線の延びる方向に並ぶ２個の折り返し部間の横方向長さが不揃い」とは、下記（Ｃ）を満たす場合を意味する。
【００５５】
（Ｃ）連続線６０Ｈ，６０Ｉの延びる方向に並ぶ任意の２個の折り返し部６１，６１間を「基準折り返し部間」とした場合に、その基準折り返し部間と、「該基準折り返し部間に対して縦方向Ｘの一方側に位置する他の折り返し部間のうちで該基準折り返し部間に最も近いもの、及び、該基準折り返し部間に対して縦方向Ｘの他方側に位置する他の折り返し部間のうちで該基準折り返し部間に最も近いもの」（即ち、基準折り返し部間に対して縦方向Ｘの前後に位置する２個の他の折り返し部間）とで、横方向長さが互いに異なる状態にある。
【００５６】
連続線６０Ｈ，６０Ｉの如き非環状タイプの連続線は、前述した連続線６０Ａないし６０Ｇの如き、閉じた環状部分を有する環状タイプの連続線に比して、１本の連続線自体の交点を有していない分、スキンケア剤の単位面積当たりの濃度が低くなる傾向が強い。そのため、非環状タイプの連続線は、スキンケア効果の点では環状タイプに一歩譲ることになるかもしれないが、スキンケア剤の濃淡差については環状タイプに比して小さくなりやすく、また、スキンケア剤の多量付着に起因する柔軟性や伸縮性等の諸特性の低下といった不都合を起こし難いという利点を有する。スキンケア効果を重視する用途では、連続線６０Ａないし６０Ｇの如き環状タイプの連続線、吸収性物品の柔軟性、風合い等を重視する用途では、連続線６０Ｈ，６０Ｉの如き非環状タイプの連続線という選択が考えられる。
【００５７】
図１０（ａ）〜図１０（ｄ）に、本発明に係るスキンケア剤の付着パターンの具体例を示す。図１０（ａ）及び図１０（ｂ）は何れも環状タイプの連続線を採用したパターン、図１０（ｃ）及び図１０（ｄ）は何れも非環状タイプの連続線を採用したパターンである。図１０（ｂ）のパターンは図１０（ａ）のパターンに比して、横方向Ｙに配置された連続線の数が多く、また、図１０（ｄ）のパターンは図１０（ｃ）のパターンに比して、横方向Ｙに配置された連続線の数が多い。
【００５８】
以上、本発明について説明したが、本発明は、前述した実施形態に制限されず適宜変更可能である。例えば前記実施形態においては、スキンケア剤が付着される肌接触面を形成する部材である表面シート２は、単層構造であったが、該部材は複数の層構成からなるものであっても良い。前述した一の実施形態のみが有する部分は、すべて適宜相互に利用できる。また、本発明の吸収性物品は、前記実施形態の如き生理用ナプキンに制限されず、人体から排出される体液（尿、経血、軟便、汗等）の吸収に用いられる物品を広く包含し、パンティライナー（おりものシート）、生理用ショーツ、失禁パッド、展開型の使い捨ておむつ、パンツ型の使い捨ておむつ等も包含される。前述した本発明の実施形態に関し、更に以下の付記を開示する。
【００５９】
＜１＞
着用者の股間部に配される股下部を有すると共に、着用者の腹側から股間部を介して背側に延びる縦方向とこれに直交する横方向とを有し、着用者の肌と接触し得る肌接触面にスキンケア剤が所定のパターンで付着した吸収性物品であって、
前記スキンケア剤は、平面視において横方向に折り返しながら縦方向に延びる連続線をなし、該連続線の横方向一方側及び他方側にはそれぞれ複数の折り返し部が存し、該横方向一方側及び他方側それぞれにおいて、その複数の折り返し部の横方向位置が不揃いであり、
前記肌接触面は、平均横方向長さの異なる複数の前記連続線が横方向に並べて配置された平面視四角形形状のスキンケア剤配置領域を有し、
前記スキンケア剤配置領域は、前記股下部に位置して前記肌接触面の横方向中央と重なり、且つ該スキンケア剤配置領域における任意の部分の横方向長さが、該肌接触面における該任意の部分と縦方向において同位置に存する部分の横方向長さの３０％以上である吸収性物品。
＜２＞
前記スキンケア剤配置領域における任意の部分の横方向長さが、前記肌接触面における該任意の部分と縦方向において同位置に存する部分の横方向長さの好ましくは５０％以上、さらに好ましくは７０％以上である前記＜１＞に記載の吸収性物品。
【００６０】
＜３＞
前記連続線は、該連続線自体の交点を含む閉じた環状部分を複数有し、その複数の環状部分の該交点の横方向位置が不揃いである前記＜１＞又は＜２＞に記載の吸収性物品。
＜４＞
前記環状部分は、縦方向長さの方が横方向長さに比して長い縦長タイプである前記＜３＞に記載の吸収性物品。
＜５＞
前記縦長タイプの環状部分の縦方向長さと横方向長さとの比は、前者／後者として、好ましくは１．１以上、さらに好ましくは１．４以上、そして、好ましくは４以下、さらに好ましくは３以下である前記＜４＞に記載の吸収性物品。
＜６＞
１本の前記連続線が有する全ての前記環状部分のうち、好ましくは５割以上、さらに好ましくは８割以上が、前記縦長タイプの環状部分である前記＜４＞又は＜５＞に記載の吸収性物品。
【００６１】
＜７＞
前記連続線は、該連続線自体の交点を有しておらず、且つ該連続線の延びる方向に並ぶ２つの前記折り返し部間の横方向長さが不揃いである前記＜１＞又は＜２＞に記載の吸収性物品。
＜８＞
複数の前記連続線どうしが共有する複数の交点の横方向位置が不揃いである前記＜１＞〜＜７＞の何れか一項に記載の吸収性物品。
【００６２】
＜９＞
前記スキンケア剤配置領域に存する複数の前記連続線は、各連続線における平均横方向長さを有する部分が横方向に間欠配置されるように配置されている前記＜１＞〜＜７＞の何れか一項に記載の吸収性物品。
＜１０＞
横方向に隣り合う２本の前記連続線それぞれの平均横方向長さを有する部分どうしの間隔は、その２本の連続線のうちの平均横方向長さが短い方の平均横方向長さに比して短い前記＜９＞に記載の吸収性物品。
＜１１＞
前記スキンケア剤配置領域に、横方向に隣り合う２本の前記連続線それぞれの平均横方向長さを有する部分どうしの間隔が複数存在し、その複数の間隔のうちの好ましくは５割以上、さらに好ましくは８割以上について、「該間隔＜該間隔を規定する２本の連続線のうちの平均横方向長さが短い方の平均横方向長さ」なる大小関係が成立する前記＜１０＞に記載の吸収性物品。
【００６３】
＜１２＞
前記連続線は、前記吸収性物品の厚さ方向に延びる部分を有している前記＜１＞〜＜１１＞の何れか一項に記載の吸収性物品。
＜１３＞
前記スキンケア剤の連続線が付着される肌接触面が、凹凸面である前記＜１＞〜＜１２＞の何れか一項に記載の吸収性物品。
＜１４＞
前記スキンケア剤の付着量は固形分換算で、好ましくは１ｇ／ｍ2以上、さらに好ましくは５ｇ／ｍ2以上、そして、好ましくは２０ｇ／ｍ2以下、さらに好ましくは１５ｇ／ｍ2以下である前記＜１＞〜＜１３＞の何れか一項に記載の吸収性物品。
＜１５＞
前記スキンケア剤の連続線の幅は、好ましくは１０ｍｍ以上、さらに好ましくは１５ｍｍ以上、そして、好ましくは５０ｍｍ以下、さらに好ましくは３０ｍｍ以下である前記＜１＞〜＜１４＞の何れか一項に記載の吸収性物品。
＜１６＞
前記スキンケア剤配置領域に３本以上の前記連続線が横方向に並べて配置されており、その３本以上の連続線のうちの少なくとも１本の連続線と他の１本の連続線とで平均横方向長さが異なっているか、又は全部の連続線で互いに平均横方向長さが異なっている前記＜１＞〜＜１５＞の何れか一項に記載の吸収性物品。
【００６４】
＜１７＞
前記スキンケア剤は、エモリエント剤と保湿成分及び固化剤の１種以上とを含む前記＜１＞〜＜１６＞の何れか一項に記載の吸収性物品。
＜１８＞
前記保湿成分は、アミノ酸、ピロリドンカルボン酸、乳酸、ヒアルロン酸、コンドロイチン硫酸等のムコ多糖葵質；グリセリン、プロピレングリコール、ブチレングリコール、ソルビット等の多価アルコール類；可溶性コラーゲン、ユラスチン、ケラチン等のたんぱく質加水分解物；牛胎盤エキスより抽出するプラセンターエキス、哺乳動物の胃粘膜、唾液腺で生産・分泌される糖たんぱく質のムチン、カニやエビの殻を主原科とするキチン・キトサン、ビフィズス菌代謝物、酵母発酵代謝産物、及び酵母抽出物からなる群から選択される１種又は２種以上である前記＜１７＞に記載の吸収性物品。
＜１９＞
前記固化剤は、炭素数１４〜２２の脂肪アルコール、炭素数１２〜２２の脂肪酸、及び平均のエトキシル化度が２〜３０で且つ炭素数１２〜２２の脂肪アルコールエトキシレートからなる群から選択される１種又は２種以上である前記＜１７＞又は＜１８に記載の吸収性物品。
【００６５】
＜２０＞
着用時に着用者の肌と接触し得る肌接触面を形成し得る部材に防漏性部材が含まれており、該防漏性部材に前記スキンケア剤が付着されている前記＜１＞〜＜１９＞の何れか一項に記載の吸収性物品。
＜２１＞
前記吸収性物品は、止着用のファスニングテープを備える展開型の使い捨ておむつである前記＜１＞〜＜２０＞の何れか一項に記載の吸収性物品。
＜２２＞
前記吸収性物品は、前身頃と後身頃とが接合されてウエスト開口部及び一対のレッグ開口部が形成されているパンツ型の使い捨ておむつである前記＜１＞〜＜２０＞の何れか一項に記載の吸収性物品。
【符号の説明】
【００６６】
１  吸収性物品（生理用ナプキン）
１Ｆ  吸収性物品の腹側部
１Ｍ  吸収性物品の股下部
１Ｒ  吸収性物品の背側部
２  表面シート
３  裏面シート
４  吸収体
５  エンドシール部
６０，６０Ａ，６０Ｂ，６０Ｃ，６０Ｄ，６０Ｅ，６０Ｆ，６０Ｇ，６０Ｈ，６０Ｉ，９０  スキンケア剤の連続線
６１，９１  折り返し部
６２，９２  複数の連続線どうしの交点
６３，６３Ａ，６３Ｂ  連続線の環状部分
６４  環状部分における連続線自体の交点
７  スキンケア剤配置領域
Ｘ  縦方向
Ｙ  横方向
【図１】
0006706940.tif 000002
【図２】
0006706940.tif 000003
【図３】
0006706940.tif 000004
【図４】
0006706940.tif 000005
【図５】
0006706940.tif 000006
【図６】
0006706940.tif 000007
【図７】
0006706940.tif 000008
【図８】
0006706940.tif 000009
【図９】
0006706940.tif 000010
【図１０】
0006706940.tif 000011
【図１１】
0006706940.tif 000012
【図１２】
0006706940.tif 000013